(57)【要約】【目的】  濾過ケースと水槽の外壁内面との間の隙間に小さな観賞魚や水草の葉片、残餌などの異物が入り込むのを未然に防止することができ、また、外観上の体裁を良くすることができる。【構成】  水槽Ｖ内に設けられる濾過ケース１に吸盤３０を設け、この吸盤３０を水槽Ｖの外壁Ｗ内面に吸着させて、濾過ケース１を水槽Ｖの外壁Ｗ内面に取り付けるものにおいて、濾過ケース１の周囲に帯状のシール材３４を無端状に設け、このシール材３４は、濾過ケース１の取付時に、濾過ケース１の周囲と、水槽Ｖの外壁Ｗ内面間の隙間Ｃを閉塞する。【選択図】      図４
2006006255.tif 000002
【特許請求の範囲】
【請求項１】
水槽（Ｖ）内に設けられる濾過機器（１）の取付面（１ａ）に吸盤（３０）を設け、この吸盤（３０）を水槽（Ｖ）の外壁（Ｗ）内面に吸着させることにより、前記濾過機器（１）を水槽（Ｖ）の外壁（Ｗ）内面に取り付けるようにした、水槽における濾過機器の取付装置であって、
前記濾過機器（１）の取付面（１ａ）の周囲に前記吸盤（３０）を囲繞して帯状のシール材（３４）を無端状に設け、このシール材（３４）は、濾過機器（１）の取付時に、その取付面（１ａ）の周囲と、水槽（Ｖ）の外壁（Ｗ）内面間の隙間（Ｃ）を閉塞するようにしたことを特徴する、水槽における濾過機器の取付装置。
【請求項２】
前記シール材（３４）は、多孔質の弾褥体により構成されることを特徴とする、前記請求項１記載の水槽における濾過機器の取付装置。
【発明の詳細な説明】
【技術分野】
【０００１】
本発明は、水槽内に設けられる内部式濾過装置の濾過機器の取付装置に関するものである。
【背景技術】
【０００２】
従来、水槽内に設けられる内部濾過装置において、濾過装置などの濾過機器を水槽内の外壁内面に支持するのに、吸盤が用いられる（たとえば、特許文献１参照）。
【特許文献１】特開平６−１８２１４２号公報
【発明の開示】
【発明が解決しようとする課題】
【０００３】
ところで、内部式濾過装置の濾過機器を、水槽の外壁内面に支持するにあたっては、濾過機器に複数の吸盤を取り付け、それらの吸盤を、水槽の外壁内面に吸着させるようにしているため、濾過機器と水槽との間には、吸盤による隙間が形成されるのを余儀なくされる。
【０００４】
ところが、この隙間には、小さな観賞魚などの入り込んで動けなくなくなり、遂には死に至らしめたり、水草の葉片、残餌などの異物が入り込んで次第に堆積し、水質を低下させる原因になり、さらに、外観上の体裁を悪くするなどの問題がある。
【０００５】
本発明はかかる事情に鑑みてなされたもので、濾過機器の取付面の周囲と水槽の外壁内面間をシールすることにより、前記問題を解決できるようにした、新規な濾過機器の取付装置を提供することを目的とするものである。
【課題を解決するための手段】
【０００６】
上記目的を達成するために、請求項１の発明は、水槽内に設けられる濾過機器の取付面に吸盤を設け、この吸盤を水槽の外壁内面に吸着させることにより、前記濾過機器を水槽の外壁内面に取り付けるようにした、水槽における濾過機器の取付装置であって、
前記濾過機器の取付面の周囲に前記吸盤を囲繞して帯状のシール材を無端状に設け、このシール材は、濾過機器の取付時に、その取付面の周囲と、水槽の外壁内面間の隙間を閉塞するようにしたことを特徴としている。
【０００７】
上記目的を達成するために、請求項２の発明は、前記請求項１記載のものにおいて、前記シール材は、多孔質の弾褥体により構成されることを特徴としている。
【発明の効果】
【０００８】
請求項１の発明によれば、濾過機器の取付面の周囲に吸盤を囲繞して帯状のシール材を無端状に設け、このシール材は、濾過機器の取付時に、その取付面の周囲と、水槽の外壁内面間の隙間を閉塞するようにしたので、濾過機器と水槽の外壁内面との間の隙間に小さな観賞魚や水草の葉片、残餌などの異物が入り込むのを未然に防止することができ、また、外観上の体裁を良くすることができる。
【０００９】
また、請求項２の発明によれば、前記シール材は、多孔質の弾褥体により構成されるので、前記隙間には、シール材を通して水の自由な流通が許容され、その隙間に水が滞留することがなく、水質の劣化を招くことがない。
【発明を実施するための最良の形態】
【００１０】
本発明の実施の形態を、添付図面に例示した本発明の実施例に基づいて以下に具体的に説明する。
【００１１】
図１は、水槽内に設けた、本発明取付装置を備える側面濾過装置の正面図、図２は、図１の２矢視図、図３は、図２の３−３線に沿う断面図、図４は、図１の４−４線に沿う断面図、図５は、図２の５矢視図である。
【００１２】
熱帯魚、金魚などの観賞魚を飼育する水槽Ｖ内には、その水槽Ｖ内の水を循環濾過する内部式側面濾過装置Ｆが設けられる。この側面濾過装置Ｆは、水槽Ｖ内の側壁Ｗ内面に、複数個の吸盤３０により着脱可能に取り付けられるものであり、その主体部分を構成する濾過ケース１は、硬質の合成樹脂材により四角な偏平状に形成されており、ケース本体２と、その開口面を開閉可能に閉じる蓋板３とより密閉状に形成されている。濾過ケース１内には、その下部にモータ室５が形成されると共にその上方に比較的大きな容積を占める濾過室６が形成され、さらに、濾過室６とモータ室５の一側に、それらに跨がって上下方向に長い吸水路７が形成されている。前記モータ室５には、水中モータ９が収容され、前記濾過室６には、四角な板状の濾過エレメント１０が収容されている。モータ室５と濾過室６とを仕切る仕切壁１２には多数の通水孔１５が開口され、また、濾過室６と吸水路７とを仕切る仕切壁１３には、流入口１６が開口されている。水中モータ９の吸込ポート９ａは、モータ室５に開口され、またその吐出ポート９ｂには、モータ室５と吸込路７とを仕切る仕切壁１４を貫通するエルボ状の吐出管１７が接続され、この吐出管１７の出口には、給水管１８の下端が接続されている。この給水管１８は、前記吸水路７内を縦方向に縦走しており、その上端に、シャワー管１９が接続されている。このシャワー管１９は、濾過ケース１の外側を、その上壁に沿って配置されており、このシャワー管１９には、水槽Ｖ内に指向される複数のノズル２０が、その長手方向に沿って設けられる。吸水路７の下部側面には多数の吸水孔２１が開口されている。水中モータ９の駆動用コード２３は、モータ室５より吸水路７を通り、その上部より外部に延出されている。
【００１３】
図４，５に最も明瞭に示すように、濾過ケース１の取付面１ａには、複数の吸盤３０が着脱可能に取り付けられる。すなわち、濾過ケース１の蓋板３の外面の四隅には、４つの取付孔３１が穿設され、これらの取付孔３１には、４つの吸盤３０のネック部分３０ａがそれぞれ嵌着され、それらの吸盤３０の吸着部分３０ｂは、濾過ケース１の取付面１ａの外面から外方に露出される。また、図４，５に示すように、濾過ケース１の取付面１ａ、すなわち、その蓋板３の外面の周囲には、その全周に亘って凹溝３３が額縁状に形成され、この凹溝３３に、スポンジなどの多孔質の弾褥体よりなる帯状のシール材３４が無端状に嵌着されており、この帯状のシール材３４は、前記４つの吸盤３０を取り囲んで濾過ケース１の取付面１ａよりも外方に突出している。
【００１４】
つぎに、上記のように構成される側面濾過装置Ｆを水槽Ｖ内にセットするには、水槽Ｖ内に濾過ケース１を、水中モータ９が下に位置するようにして縦方向に収容し、４つの吸盤３０を水槽Ｖの側壁Ｗ内面に吸着させる。これにより、側面濾過装置Ｆは、水槽Ｖの側壁Ｗに沿って固定され、前記シール材３４は、４つの吸盤３０を取り囲むようにして、濾過ケース１の取付面１ａの周囲と水槽Ｖの側壁Ｗ内面間の隙間Ｃを、隙間なくシールすることができ、この濾過ケース１と水槽Ｖの側壁Ｗ内面との間に、小さな観賞魚などが入り込むのを防止することができる。
【００１５】
なお、この実施例に示すように、水槽Ｖの底面に砂利などを敷設しないときは、水槽Ｖの底面と、濾過ケース１の下面との間には弾褥体よりなる台座３６が介在させ、それら間の隙間をシールする。
【００１６】
前述のように、側面濾過装置Ｆを水槽Ｖ内にセットしたのち、水中モータ９を駆動すれば、水槽Ｖ内の未濾過の水は、図１〜３矢印ａに示すように、吸水孔２１より吸水路７内に吸入され、そこから流入孔１６を通って図３矢印ｂに示すように、濾過室６内に流入し、ここで濾過エレメント１０を通過して濾過された後、図３矢印ｃに示すように、通水孔５を通りモータ室５に吸い込まれる。水中モータ９により加圧された濾過後の水は、図３矢印ｄに示すように、給水管１８内を上方に流れ、そこからシャワー管１９に入り、図３矢印ｅに示すように、複数のノズル２０から水槽Ｖ内に噴出される。
【００１７】
ところで、図２，４に示すように、濾過ケース１は、４つの吸盤３０により、水槽Ｖの側壁Ｗ内面に吸着保持されることにより、それらの吸盤３０の吸着部分３０ｂの厚みに相当する隙間Ｃが、濾過ケース１の取付面１ａと水槽Ｖの側壁Ｗ内面との間に形成されるが、この隙間Ｃの周縁部分は、前記シール部材３４により隙間なくシールされるので、この隙間Ｃに小さな観賞魚や水草の葉片、残餌などの異物が入り込むことがない。また、シール材３４は、多孔質の弾褥体、すなわち、スポンジ体により構成されるので、このシール材３４を通して前記隙間Ｃ内には、水の自由な流通が許容されて、隙間Ｃ内に水が滞ることがなく、水の滞留に起因する水質の低下を招くことがない。
【００１８】
以上、本発明の実施例について説明したが、本発明はその実施例に限定されることなく、本発明の範囲内で種々の実施例が可能である。
【００１９】
たとえば、前記実施例では、本発明取付装置により濾過ケース１を、水槽Ｖの側壁内面に取り付けた場合について説明したが、濾過ケース１以外の濾過機器の取り付けに本発明の取付装置を実施することができ、また、前記実施例では、本発明取付装置を、側面濾過装置Ｆに実施した場合を説明したが、これを底面濾過器にも実施すること可能であり、この場合、本発明取付装置により、水槽Ｖの底壁内面に濾過機器が取り付けられる。
【図面の簡単な説明】
【００２０】
【図１】水槽内に設けた、本発明取付装置を備える側面濾過装置の正面図
【図２】図１の２矢視図
【図３】図２の３−３線に沿う断面図
【図４】図１の４−４線に沿う断面図
【図５】図２の５矢視図
【符号の説明】
【００２１】
１・・・・・・・・濾過機器（濾過ケース）
１ａ・・・・・・・取付面
３０・・・・・・・吸盤
３４・・・・・・・シール材
Ｃ・・・・・・・・隙間
Ｖ・・・・・・・・水槽
Ｗ・・・・・・・・外壁（側壁）
【図１】
2006006255.tif 000003
【図２】
2006006255.tif 000004
【図３】
2006006255.tif 000005
【図４】
2006006255.tif 000006
【図５】
2006006255.tif 000007